(57)【要約】      （修正有）【課題】皿やプレートとして利用可能な調理用まな板を提供する。【解決手段】面上にレーザ加工により図柄４を施すという簡易な方法を用いることで、皿としても利用可能なまな板を１実現する。板状の調理用まな板であって、少なくとも一方の面に、料理の盛り付け用の食器の図柄、野菜または果物の盛り付け用の樹木の図柄、或は、建物の窓の図柄が施されている。これらの図柄の上に、図柄に合わせて料理や野菜や果物などを盛り付けることによって、まな板が調理用だけの道具ではなく、盛り付け皿やプレートとしての役割を果たすことになる。【選択図】図２
0003196590.tif 000002
【実用新案登録請求の範囲】
【請求項１】
板状の調理用まな板であって、
少なくとも一方のまな板表面に、料理の盛り付け用の食器の図柄が施されたことを特徴とする調理用まな板。
【請求項２】
板状の調理用まな板であって、
少なくとも一方のまな板表面に、野菜または果物の盛り付け用の樹木の図柄が施されたことを特徴とする調理用まな板。
【請求項３】
板状の調理用まな板であって、
少なくとも一方のまな板表面に、複数の区画が建物の窓の図柄として施されたことを特徴とする調理用まな板。
【請求項４】
前記図柄が、前記まな板表面の中央に表面全体の１／２以上を占める大きさで描かれたことを特徴とする請求項１又は２に記載の調理用まな板。
【考案の詳細な説明】
【技術分野】
【０００１】
本考案は、調理用まな板に関するものである。
【背景技術】
【０００２】
従来から、まな板は、野菜や肉、果物といった食材を調理するための台として用いられてきた。しかし、まな板を調理用にのみ用いなければならない理由はない。むしろ、そのデザインによっては、調理用の台として以外にも利用できるものであれば、用途が広がり、より便利なものになるといえる。そして、板状のまな板には、表面と裏面が存在するのであるから、その一方の面を調理目的以外の用途に利用できれば、極めて好都合である。
【０００３】
このようなことから、裏面がまな板となっている皿を容器に組み合わせて容器の上で皿やまな板として使えるようにしたものが知られている（例えば、特許文献１を参照。）。これは、まな板と盛りつけ用の皿が別々の場合は、切り屑が出て不便であったために、まな板と盛りつけ用の皿をまとめて扱えるようにしたものである。
また一方で、狭い場所での作業能率向上、手間の軽減を目的として、食品容器（タッパ）の蓋の裏にまな板が結合された、まな板付食品容器が知られている（例えば、特許文献２を参照。）。
これは、食品容器（タッパ）とまな板を結合することによって、スペースが生まれ、基本的に同種類の食物を食品容器（タッパ）にいれるとすると、食物を切る度ごとに十分な洗浄を行わなくても済み、結果、狭い空間での場所の有効利用、能率があがり作業時間の短縮（作業効率向上）、手間の軽減につながるというものである。
【０００４】
しかしながら、特許文献１に開示されたまな板の場合、切り屑を収納する容器があり、機能的ではあるが、皿としてのデザイン性に乏しいという問題がある。
また、特許文献２に開示されたまな板の場合、食品容器の蓋にまな板を結合するため構造が複雑になるという問題がある。
【先行技術文献】
【特許文献】
【０００５】
【特許文献１】特開２００３−２５０６８５号公報
【特許文献２】実用新案登録第３０９９０５７号公報
【考案の概要】
【考案が解決しようとする課題】
【０００６】
上記状況に鑑みて、本考案は、盛り付け用の皿やプレートとしても利用可能な調理用まな板を提供することを目的とする。
【課題を解決するための手段】
【０００７】
上記目的を達成すべく、本考案の図柄付き調理用まな板は、まな板の面上に図柄を施すという簡易な方法を用いることで、盛り付け用の皿やプレートとしても利用できる調理用まな板を実現している。
【０００８】
すなわち、本考案の図柄付き調理用まな板は、板状の調理用まな板であって、少なくとも一方の面に、料理の盛り付け用の食器の図柄、野菜または果物の盛り付け用の樹木の図柄、或は、建物の窓の図柄が施されている。これらの図柄の上に、図柄に合わせて料理や野菜や果物などを盛り付けることによって、まな板が調理用だけの道具ではなく、盛り付け皿やプレートとしての役割を果たすことになる。
【０００９】
まな板の材質は、木製であることが好ましいが、これに限定されず、プラスチック、シリコン等の樹脂製のものであっても良い。また、まな板の表面に施された図柄は、レーザー加工によるものであることが好ましい。尚、まな板の形状は、四角形以外に、五角形以上の多角形であっても良いし、三角形であっても良い。
【００１０】
図柄は、まな板表面の中央に、表面全体の１／２以上を占める大きさで描かれることが好ましい。表面全体の１／２以上を占める大きさで描かれることで、表面に施されたグラフィックが料理を楽しく、おいしく演出できることになる。
【考案の効果】
【００１１】
本考案の図柄付き調理用まな板によれば、調理の際に利用するだけでなく、食事の際の皿やプレートとして利用できるといった効果を有する。本考案の図柄付き調理用まな板は、片面は食材を切るまな板として、もう片面は料理を盛り付けるプレートとして用い、その表面に施されたグラフィックが料理を楽しく、おいしく演出できるといった効果がある。
【図面の簡単な説明】
【００１２】
【図１】実施例１の図柄付きまな板につき表面を上にした場合の斜視図
【図２】実施例１の図柄付きまな板につき裏面を上にした場合の斜視図
【図３】実施例１の図柄付きまな板の裏側正面図
【図４】実施例２の図柄付きまな板の裏側正面図
【図５】実施例２の図柄付きまな板の裏側への盛り付け例図
【図６】実施例３の図柄付きまな板の裏側正面図
【図７】実施例４の図柄付きまな板の裏側正面図
【考案を実施するための最良の形態】
【００１３】
以下、本考案の実施形態について、図面を参照しながら詳細に説明していく。なお、本考案の範囲は、以下の実施例や図示例に限定されるものではなく、幾多の変更及び変形が可能である。
【実施例１】
【００１４】
図１は、実施例１の図柄付きまな板につき表面を上にした場合の斜視図を示している。
実施例１におけるまな板１は、板状の調理用まな板であって、材質は木材を用いている。表面２には、図柄４は施されていない。表面２は、通常の調理用まな板として利用する。
まな板１の材質は、木製であるが、プラスチック、シリコン等の樹脂製のものでも良い。まな板１の面の形状は、四角形であるが、五角形など他の多角形でも良い。
【００１５】
図２は、まな板１の裏面を上にした場合の斜視図を示している。裏面３には、皿とその両側にフォークとスプーンをモチーフにした図柄４が施されている。まな板１の表面に施された図柄４は、レーザー加工によって施されている。
裏面３の皿の図柄４ａに料理を盛り付け、まな板１の裏面３を皿として利用するが、裏面３を通常のまな板として使用することも可能である。
【００１６】
図３は、実施例１の図柄付きまな板の裏側３の正面図を示している。図３に示すように、裏面３の中央には、フォークの形をした図柄４ａと、皿の形をした図柄４ｂ、及びスプーンの形をした図柄４ｃが施されている。例えば、図柄４ａの上にフォークを置き、図柄４ｂの上に料理を盛り付け、図柄４ｃの上にスプーンを置くというように、図柄４に合わせて、料理を盛り付ければ、裏面３のデザインに合った演出が可能となる。もっとも、この図柄４はあくまでもデザインであるので、料理の盛り付けはこの図柄４にかかわらず、自由に盛り付けて楽しむことも可能である。
【実施例２】
【００１７】
図４は、実施例２の図柄付き調理用まな板の裏側正面図を示している。実施例２の調理用まな板１は、まな板の形状が五角形になっている。裏面３には、樹木５が中央に大きく描かれている。また、樹木の根元に動物をモチーフにした図柄９が描かれている。
図５は、実施例２の図柄付き調理用まな板の裏面３を利用したサラダの盛り付け例を示している。図５に示すように、図柄５の樹木の枝の図柄の箇所に、サラダ６を盛り付けることにより、あたかも樹木に葉が生い茂っているような演出を行うことができる。
【実施例３】
【００１８】
図６は、実施例３の図柄付き調理用まな板の裏面３を示している。実施例３のまな板１の形状は七角形になっている。まな板１の裏面３上には、樹木が集まった森をイメージした図柄７と周囲に動物の図柄９が描かれており、樹木の描かれている場所や動物が描かれている場所に料理を盛り付けて楽しむことが可能である。
【実施例４】
【００１９】
図７は、実施例４の図柄付き調理用まな板の裏側３を示している。実施例４のまな板１の形状は五角形になっており、まな板１の裏面３上には、４階建てのアパートをモチーフにした図柄８が描かれている。図柄８は、複数の区画が建物の窓の図柄として施されており、それぞれの窓に料理を盛り付けて楽しむことが可能である。
【産業上の利用可能性】
【００２０】
本考案は、皿やプレートと兼用できる調理用まな板として有用である。
【符号の説明】
【００２１】
１  まな板
２  表面
３  裏面
４，５，７，８，９  図柄
６  サラダ
【図１】
0003196590.tif 000003
【図２】
0003196590.tif 000004
【図３】
0003196590.tif 000005
【図４】
0003196590.tif 000006
【図５】
0003196590.tif 000007
【図６】
0003196590.tif 000008
【図７】
0003196590.tif 000009